【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射された光束を偏向走査する偏向手段と、前記偏向走査された光束を被走査面上に結像させる結像光学系と、を有する光走査装置において、
前記偏向手段は、前記光源手段から出射された光束により前記被走査面上を往復走査する揺動素子であり、
前記被走査面上の有効走査領域の主走査方向の中心位置Ｙ０を光束が走査するときの前記揺動素子の偏向角をθ０、そのときの前記揺動素子の角速度をｄθ０／ｄｔ０、
前記被走査面上の有効走査領域の主走査方向の最大走査位置Ｙｍａｘを光束が走査するときの前記揺動素子の最大偏向角をθｍａｘ、そのときの前記揺動素子の角速度をｄθｍａｘ／ｄｔｍａｘ、
前記被走査面上の有効走査領域の主走査方向の最大走査位置Ｙｍａｘの５割での走査位置Ｙ０．５を光束が走査するときの前記揺動素子の偏向角をθ０．５、そのときの前記揺動素子の角速度をｄθ０．５／ｄｔ０．５、
前記揺動素子の偏向角θ０のときの変化量ｄθ０に対する前記被走査面上での主走査方向の中心位置Ｙ０での変化量をｄＹ０、
前記揺動素子の最大偏向角θｍａｘのときの変化量ｄθｍａｘに対する前記被走査面上での主走査方向の最大走査位置Ｙｍａｘでの変化量をｄＹｍａｘ、
前記揺動素子の偏向角θ０．５のときの変化量ｄθ０．５に対する前記被走査面上での主走査方向の走査位置Ｙ０．５での変化量をｄＹ０．５とするとき、有効走査領域の全領域において、
（ｄθｍａｘ／ｄｔｍａｘ）＜（ｄθ０／ｄｔ０）（ｄＹ０／ｄθ０）＜（ｄＹｍａｘ／ｄθｍａｘ）
（ｄθ０／ｄｔ０）＜（ｄθ０．５／ｄｔ０．５）（ｄＹ０．５／ｄθ０．５）＜（ｄＹ０／ｄθ０）なる条件を満足することを特徴とする光走査装置。
【請求項２】
光源手段と、前記光源手段から出射された光束を偏向走査する偏向手段と、前記偏向走査された光束を被走査面上に結像させる結像光学系と、を有する光走査装置において、
前記偏向手段は、前記光源手段から出射された光束により前記被走査面上を往復走査する揺動素子であり、
前記被走査面上の有効走査領域の主走査方向の中心位置Ｙ０を光束が走査するときの前記揺動素子の偏向角をθ０、そのときの前記揺動素子の角速度をｄθ０／ｄｔ０、
前記被走査面上の有効走査領域の主走査方向の最大走査位置Ｙｍａｘを光束が走査するときの前記揺動素子の最大偏向角をθｍａｘ、そのときの前記揺動素子の角速度をｄθｍａｘ／ｄｔｍａｘ、
前記被走査面上の有効走査領域内の主走査方向の走査位置Ｙを光束が走査するときの前記揺動素子の偏向角をθ、
前記揺動素子の偏向角θ０のときの変化量ｄθ０に対する前記被走査面上での主走査方向の中心位置Ｙ０での変化量をｄＹ０、
前記揺動素子の最大偏向角θｍａｘのときの変化量ｄθｍａｘに対する前記被走査面上での走査位置Ｙｍａｘでの変化量をｄＹｍａｘ、
前記揺動素子の偏向角θのときの変化量ｄθに対する前記被走査面上での走査位置Ｙでの変化量をｄＹとするとき、有効走査領域の全領域において、
（ｄθｍａｘ／ｄｔｍａｘ）＜（ｄθ０／ｄｔ０）（ｄＹ０／ｄθ０）＜（ｄＹｍａｘ／ｄθｍａｘ）
０．８５＜（ｄＹ／ｄθ）＜（ｄＹ０／ｄθ０）＜１．１５なる条件を満足することを特徴とする光走査装置。
【請求項３】
前記被走査面上の有効走査領域の主走査方向の中心位置Ｙ０を光束が走査しているときの走査速度をｄＹ０／ｄｔ０、前記被走査面上の有効走査領域内の主走査方向の走査位置Ｙを光束が走査しているときの走査速度をｄＹ／ｄｔとするとき、有効走査領域の全領域において、
０．９≦（ｄＹ／ｄｔ）＜（ｄＹ０／ｄｔ０）≦１．１なる条件を満足することを特徴とする請求項１又は２に記載の光走査装置。
【請求項４】
前記揺動素子は、前記被走査面上を走査する際、揺動の往路若しくは復路のいずれか一方のみで有効走査領域内への画像形成を行い、前記揺動素子全体での揺動周期をＴとするときに、前記被走査面上を光束が走査している走査時間は、０．２５Ｔ以上であることを特徴とする請求項１乃至３の何れか一項に記載の光走査装置。
【請求項５】
前記結像光学系は、１枚の結像レンズから構成されており、
前記結像光学系を構成する結像レンズの最大肉厚をＤｔ、前記被走査面上の主走査方向の走査幅をＷとするとき
０．０１≦Ｄｔ／Ｗ≦０．０４
なる条件を満足することを特徴とする請求項４に記載の光走査装置。
【請求項６】
請求項１乃至５の何れか一項に記載の光走査装置と、前記被走査面に設けられた感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項７】
請求項１乃至５の何れか一項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００２４
【補正方法】変更
【補正の内容】
【００２４】
請求項１の発明の光走査装置は、光源手段と、前記光源手段から出射された光束を偏向走査する偏向手段と、前記偏向走査された光束を被走査面上に結像させる結像光学系と、を有する光走査装置において、
前記偏向手段は、前記光源手段から出射された光束により前記被走査面上を往復走査する揺動素子であり、
前記被走査面上の有効走査領域の主走査方向の中心位置Ｙ０を光束が走査するときの前記揺動素子の偏向角をθ０、そのときの前記揺動素子の角速度をｄθ０／ｄｔ０、
前記被走査面上の有効走査領域の主走査方向の最大走査位置Ｙｍａｘを光束が走査するときの前記揺動素子の最大偏向角をθｍａｘ、そのときの前記揺動素子の角速度をｄθｍａｘ／ｄｔｍａｘ、
前記被走査面上の有効走査領域の主走査方向の最大走査位置Ｙｍａｘの５割での走査位置Ｙ０．５を光束が走査するときの前記揺動素子の偏向角をθ０．５、そのときの前記揺動素子の角速度をｄθ０．５／ｄｔ０．５、
前記揺動素子の偏向角θ０のときの変化量ｄθ０に対する前記被走査面上での主走査方向の中心位置Ｙ０での変化量をｄＹ０、
前記揺動素子の最大偏向角θｍａｘのときの変化量ｄθｍａｘに対する前記被走査面上での主走査方向の最大走査位置Ｙｍａｘでの変化量をｄＹｍａｘ、
前記揺動素子の偏向角θ０．５のときの変化量ｄθ０．５に対する前記被走査面上での主走査方向の走査位置Ｙ０．５での変化量をｄＹ０．５とするとき、有効走査領域の全領域において、
（ｄθｍａｘ／ｄｔｍａｘ）＜（ｄθ０／ｄｔ０）（ｄＹ０／ｄθ０）＜（ｄＹｍａｘ／ｄθｍａｘ）
（ｄθ０／ｄｔ０）＜（ｄθ０．５／ｄｔ０．５）（ｄＹ０．５／ｄθ０．５）＜（ｄＹ０／ｄθ０）なる条件を満足することを特徴としている。
【手続補正３】
【補正対象書類名】明細書
【補正対象項目名】００２５
【補正方法】変更
【補正の内容】
【００２５】
請求項２の発明の光走査装置は、光源手段と、前記光源手段から出射された光束を偏向走査する偏向手段と、前記偏向走査された光束を被走査面上に結像させる結像光学系と、を有する光走査装置において、
前記偏向手段は、前記光源手段から出射された光束により前記被走査面上を往復走査する揺動素子であり、
前記被走査面上の有効走査領域の主走査方向の中心位置Ｙ０を光束が走査するときの前記揺動素子の偏向角をθ０、そのときの前記揺動素子の角速度をｄθ０／ｄｔ０、
前記被走査面上の有効走査領域の主走査方向の最大走査位置Ｙｍａｘを光束が走査するときの前記揺動素子の最大偏向角をθｍａｘ、そのときの前記揺動素子の角速度をｄθｍａｘ／ｄｔｍａｘ、
前記被走査面上の有効走査領域内の主走査方向の走査位置Ｙを光束が走査するときの前記揺動素子の偏向角をθ、
前記揺動素子の偏向角θ０のときの変化量ｄθ０に対する前記被走査面上での主走査方向の中心位置Ｙ０での変化量をｄＹ０、
前記揺動素子の最大偏向角θｍａｘのときの変化量ｄθｍａｘに対する前記被走査面上での走査位置Ｙｍａｘでの変化量をｄＹｍａｘ、
前記揺動素子の偏向角θのときの変化量ｄθに対する前記被走査面上での走査位置Ｙでの変化量をｄＹとするとき、有効走査領域の全領域において、
（ｄθｍａｘ／ｄｔｍａｘ）＜（ｄθ０／ｄｔ０）（ｄＹ０／ｄθ０）＜（ｄＹｍａｘ／ｄθｍａｘ）
０．８５＜（ｄＹ／ｄθ）＜（ｄＹ０／ｄθ０）＜１．１５なる条件を満足することを特徴としている。